(57)【要約】【課題】本発明の課題は、ディジタルカメラからカードの脱着を行わずに撮影した画像データを遠隔地に送信することが可能である画像データ伝送システムを提供することにある。【解決手段】本発明は、第１の外部から送られた画像データが記憶媒体に書き込まれ、前記記憶媒体から画像データが読み出されて第２の外部へ送出されるインタフェースカード装置２と、インタフェースカード装置２が着脱可能に収納されるディジタルカメラ１と、インタフェースカード装置２から画像データを読み出して送出する制御装置４と、制御装置４によりインタフェースカード装置２から読み出された画像データが受信され、所定の端末へ無線回線を介して送信する携帯電話機６とを備えることを特徴とするものである。【選択図】    図１
2004312248.tif 000002
【特許請求の範囲】
【請求項１】
第１の外部から送られた画像データが記憶媒体に書き込まれ、前記記憶媒体から画像データが読み出されて第２の外部へ送出されるカード形状のインタフェースカード装置と、
前記インタフェースカード装置が着脱可能に収納されるディジタルカメラと、
前記インタフェースカード装置に接続され、インタフェースカード装置から画像データを読み出して送出する制御装置と、
前記制御装置に接続され、前記制御装置により前記インタフェースカード装置から読み出された画像データが受信され、所定の端末へ無線回線を介して送信する携帯電話機と
を備えることを特徴とする画像データ伝送システム。
【請求項２】
第１のインタフェース部を介して外部から送られた画像データを書き込み命令信号によって不揮発性の記憶媒体に書き込み、一時記憶し、前記一時記憶した画像データを第２のインタフェース部を介して入力される読み出し命令信号によって前記記憶媒体から読み出して第２のインタフェース部から外部へ送出する記憶・書き込み・読み出し手段を有するカード形状のインタフェースカード装置と、
前記インタフェースカード装置を着脱可能に収納して、レンズを介して撮影した画像をディジタル化した画像データを前記書き込み命令信号と共に前記インタフェースカード装置へ送出するデータ送出手段を有するディジタルカメラと、
前記ディジタルカメラに装着された前記インタフェースカード装置とケーブルを介して接続して、前記インタフェースカード装置から携帯電話機への画像データの転送を制御する制御装置と、
前記制御装置にケーブルを介して接続され、前記画像データを受信して無線回線を経由して遠隔地にある端末にデータを送信する携帯電話機と
を備えることを特徴とする画像データ伝送システム。
【請求項３】
第１の外部から送られた画像データを、第２の外部へ送出するカード形状のインタフェースカード装置と、
前記インタフェースカード装置を着脱可能に収納するディジタルカメラと、
前記インタフェースカード装置に接続され、画像データを記憶媒体に書き込み、また前記記憶媒体から画像データを読み出して外部へ送出する制御装置と、
前記制御装置に接続され、前記制御装置から読み出された画像データが受信され、所定の端末へ無線回線を介して送信する携帯電話機と
を備えることを特徴とする画像データ伝送システム。
【請求項４】
第１のインタフェース部を介して外部から送られた画像データと書き込み命令信号とを、第２のインタフェース部を介して外部へ送出する手段を有するカード形状のインタフェースカード装置と、
前記インタフェースカード装置を着脱可能に収納する手段を有し、レンズを介して撮影した画像をディジタル化して画像データを得るディジタルカメラと、
前記ディジタルカメラに収納した前記インタフェースカード装置にケーブルを介して接続して、前記書き込み命令信号に基づき前記画像データを不揮発性の記憶媒体に書き込み、また読み出し命令信号に基づき前記記憶媒体から前記画像データを読み出して外部へ送出する記憶・書き込み・読み出し手段を有する制御装置と、
前記制御装置にケーブルを介して接続して、前記制御装置から読み出された前記画像データを受信して、指定した遠隔地の端末へ無線回線を介して送信する携帯電話機と
を備えることを特徴とする画像データ伝送システム。
【請求項５】
第１のインタフェース部を介して外部から送られた画像データを書き込み命令信号によって記憶部に書き込んで記憶し、前記記憶部に記憶した画像データを第２のインタフェース部を介して入力される読み出し命令信号によって読み出して第２のインタフェース部から外部へ送出する記憶・書き込み・読み出し手段を有することを特徴とするインタフェースカード装置。
【請求項６】
物理的に異なるデータ入力部とデータ出力部を備えた記憶部を有し、記憶部へのデータ書き込みと記憶部からのデータ読み出しを同時に行うことができることを特徴とする請求項５に記載のインタフェースカード装置。
【請求項７】
ケーブルを介してインタフェースカード装置とインタフェースする第１のインタフェース部と、
ケーブルを介して携帯電話機とインタフェースする第２のインタフェース部と、
前記第１のインタフェース部を介してインタフェースカード装置に記憶された画像データを読み出し、前記第２のインタフェース部を介して携帯電話機へ送出する制御部と
を備えたことを特徴とする制御装置。
【請求項８】
第１のインタフェース部を介して外部から送られた画像データと書き込み命令信号とを、データ転送タイミングを調整するためのバッファおよび第２のインタフェース部を介して外部へ送出することを特徴とするインタフェースカード装置。
【請求項９】
ディジタルカメラに収納したインタフェースカード装置にケーブルを介して接続して、第１のインタフェース部を介してディジタルカメラから送られた書き込み命令信号に基づき前記画像データを記憶部に書き込み、第２のインタフェース部を介して入力される読み出し命令信号に基づき記憶部から画像データを読み出して外部の携帯電話機へ送出する記憶・書き込み・読み出し手段を有することを特徴とする制御装置。
【請求項１０】
物理的に異なるデータ入力部とデータ出力部を備えた記憶部を有し、記憶部へのデータ書き込みと記憶部からのデータ読み出しを同時に行うことができることを特徴とする請求項９に記載の制御装置。
【発明の詳細な説明】
【０００１】
【発明の属する技術分野】
本発明は画像データの伝送システムに関し、特にディジタルカメラで撮影した画像を遠隔地へ伝送する画像データ伝送システムとそのインタフェースカード装置、および制御装置に関する。
【０００２】
【従来の技術】
この種の従来の画像データの伝送システムについて図面を参照して説明する。
【０００３】
図１０は従来の画像データの伝送システムの一例を示すブロック図である。
【０００４】
図１０において、この従来例の画像データの伝送システムは、特許文献１（特開平６−２３３０２０号公報）の開示内容を示し、送信機１１０では撮影装置１１２が被写体を撮影し、その画像信号は送信機制御回路１１４を介してＡ／Ｄ変換器１１６に印加され、ディジタル化される。Ａ／Ｄ変換器１１６の出力データはメモリ１１８に一時記憶される。
【０００５】
送信機制御回路１１４は、送信機１１０の全体を制御しており、メモリ１１８に記憶される撮影画像データを読み出し、送信回路１２０を介してディジタル回線（例えば、ＩＳＤＮ回線）１２２に送出する。送信回路１２０は、簡易型携帯電話（ＰＨＳ）からなっており、電話回線接続で送信回線の接続を制御する基地局の設置されている場所であれば、自由に送信が可能である。
【０００６】
受信機１３０では、ディジタル回線１２２からのディジタル信号を受信回路１３２を介して受信し、受信データ部分を受信機制御回路１３４に供給する。受信機制御回路１３４は受信機１３０の全体を制御する。受信機１３４は受信データをメモリ１３６に一時記憶する。
【０００７】
受信情報表示または出力したいとき、受信機制御回路１３４は、メモリ１３６に記憶される画像データを読み出し、画像表示装置（例えば画像モニタ）１３８および画像出力装置（例えばプリンタ）１４０に供給する。画像表示装置１３８により受信画像をモニタ画面上で確認でき、画像出力装置１４０により受信画像を印刷出力できる。
【０００８】
この従来の画像データ伝送システムは、送信機１１０内に撮影装置１１２および画像データを記憶するメモリ１１８が固定して内蔵する構成になっており、簡易型携帯電話機（ＰＨＳ）による通信のみに使用する場合に全体の筐体が大きくなり、また、撮影のみに使用する場合にも使用しにくいという問題があった。
【０００９】
この問題を解決するための一手段として、例えば特許文献２（特開平１１−３０８５８８号公報）に示された画像データの伝送システムがある。図１１は、この従来の画像データの伝送システムの構成図である。
【００１０】
この従来の画像データの伝送システムは、撮影した画像データを記憶するメモリカード装置２０２と、メモリカード装置２０２を着脱可能なディジタルカメラ２０１と、画像データを送信する簡易型携帯電話機（ＰＨＳ）２０４と、画像データを受信する簡易型携帯電話機（ＰＨＳ）２０６と、受信した画像データを記憶するメモリカード装置２０８、メモリカード装置２０８が着脱可能なパーソナルコンピュータ（ＰＣ）２０９から構成される。メモリカード装置２０２および２０８はカード形状をしており、外部から送られた画像データを不揮発性の記憶媒体に書き込み、また記憶媒体から画像データを読み出して外部へ送出する記憶・書き込み・読み出し手段を有する。
【００１１】
ディジタルカメラ２０１は、メモリカード装置２０２を着脱可能に収納して、レンズを介して撮影した画像をディジタル化して画像データとした後に収納したメモリカード装置２０２へ記憶する。
【００１２】
画像データを記憶したメモリカード装置２０２をディジタルカメラ２０１から装脱し、ケーブル２０３を介して簡易型携帯電話機（ＰＨＳ）２０４と接続してメモリカード装置２０２から画像データを読み出して指定した遠隔地の簡易型携帯電話機（ＰＨＳ）２０６へ無線回線２０５を介して送信する。
【００１３】
簡易型携帯電話機（ＰＨＳ）２０６は、無線回線２０５を介して画像データを受信し、ケーブル２０７を介して接続したメモリカード装置２０８へ画像データを記憶する。
【００１４】
画像データを記憶したメモリカード装置２０８をパーソナルコンピュータ（ＰＣ）２０９に接続することにより画像データを表示することが可能となる。
【００１５】
【特許文献１】
特開平６−２３３０２０号公報。
【００１６】
【特許文献２】
特開平１１−３０８５８８号公報。
【００１７】
【発明が解決しようとする課題】
この従来の画像データの伝送システムでは、ディジタルカメラで撮影した画像データを遠隔地に送信するために、ディジタルカメラに装着されていたメモリカード装置を装脱し、ケーブルを介して簡易型携帯電話機（ＰＨＳ）で接続する必要があった。
【００１８】
野外において撮影した画像データを遠隔地に送信する際に、メモリカード装置の脱着やケーブルでの接続作業は非常に繁雑な作業であり、作業効率が非常に悪いという問題がある。また、作業環境の悪い場所においては、操作ミスからおこる機器の落下や損傷などの問題がある。
【００１９】
本発明は上記の事情に鑑みてなされたもので、ディジタルカメラからカードの脱着を行わずに撮影した画像データを遠隔地に送信することが可能で、野外における調査活動等における作業性の改善が図れ、また、カード脱着の際に起こしやすい機器の落下等に起因する故障を未然に防止することが可能である画像データ伝送システムとそのインタフェースカード装置、および制御装置を提供することを目的とする。
【００２０】
【課題を解決するための手段】
上記目的を達成するために本発明の画像データ伝送システムは、第１の外部から送られた画像データが記憶媒体に書き込まれ、前記記憶媒体から画像データが読み出されて第２の外部へ送出されるカード形状のインタフェースカード装置と、前記インタフェースカード装置が着脱可能に収納されるディジタルカメラと、前記インタフェースカード装置に接続され、インタフェースカード装置から画像データを読み出して送出する制御装置と、前記制御装置に接続され、前記制御装置により前記インタフェースカード装置から読み出された画像データが受信され、所定の端末へ無線回線を介して送信する携帯電話機とを備えることを特徴とするものである。
【００２１】
【発明の実施の形態】
以下図面を参照して本発明の実施の形態例を詳細に説明する。
【００２２】
図１は本発明の第１の実施形態例を示すシステム構成図である。
【００２３】
図１において、本発明の第１の実施形態例に係る画像データ伝送システムは、被写体を撮影し、その画像をディジタル化して着脱可能なメモリカード収納部に装着されたカード形状のインタフェースカード装置２に一時記憶するディジタルカメラ１と、インタフェースカード装置２とケーブル３で接続し、かつ、携帯電話機６とケーブル５で接続してインタフェースカード装置２に一時記憶した画像データを携帯電話機６に送信する制御装置４と、無線回線７を介して画像データを指定した遠隔地の端末へ送信する携帯電話機６と、ネットワーク９に接続され画像データを受信するパーソナルコンピュータ（ＰＣ）１０とを有した構成になっている。
【００２４】
図２は本発明の第１の実施形態例におけるディジタルカメラを示すブロック図である。
【００２５】
図２において、本発明の第１の実施形態例におけるディジタルカメラ１は、被写体を撮影するレンズ群を含むカメラ部１１と、カメラ部１１を制御すると共に撮影した画像をアナログの画像信号として出力するカメラ制御部１２と、カメラ制御部１２からのアナログ画像信号をディジタル化した画像データに変換する機能を含みインタフェースカード装置２にインタフェースし共通制御部１６からの書き込み命令信号の受信によって書き込み命令信号と共に画像データを送出するカード制御部１３と、ディジタルカメラ１全体の制御操作を入力する操作部１５と、ディジタルカメラ１全体を制御する共通制御部１６と、前記インタフェースカード装置を着脱可能に収納するメモリカード収納部１４とを有している。
【００２６】
図３は本発明の第１の実施形態例におけるインタフェースカード装置を示すブロック図である。
【００２７】
図３において、本発明の第１の実施形態例におけるインタフェースカード装置２は、ディジタルカメラ１のカード制御部１３にインタフェースするインタフェース部（Ｉ／Ｆ部）２１と、制御装置４にケーブル３を介してインタフェースするインタフェース部（Ｉ／Ｆ部）２３と、ディジタル化された画像データを一時記憶する記憶部２４と、ディジタルカメラ１からの画像データの記憶部２４への書き込みと記憶部２４からの画像データの読み出しを制御する制御部２２とを有している。
【００２８】
すなわち、インタフェースカード装置２は、第１のインタフェース部２１を介して外部のディジタルカメラ１から送られた画像データを書き込み命令信号によって記憶部２４の不揮発性の記憶媒体に書き込み、一時記憶し、前記一時記憶した画像データを第２のインタフェース部２３を介して入力される読み出し命令信号によって記憶部２４の前記記憶媒体から前記画像データを読み出して第２のインタフェース部２３から外部へ送出する記憶・書き込み・読み出し手段を有する。
【００２９】
図４は本発明の第１の実施形態例におけるインタフェースカード装置の構造を示す図である。
【００３０】
図４において、本発明の第１の実施形態例におけるインタフェースカード装置２は、ディジタルカメラ１と接続するＰＣＭＣＩＡＣＰ（ＰＣカードの米国際標準化団体）に準拠する形状を有する第１のコネクタ（コネクタ１）２５と、ケーブル３と接続する第２のコネクタ（コネクタ２）２６を有しており、第１のコネクタ２５と第２のコネクタ２６はインタフェースカード装置２の相対する辺に位置している。
【００３１】
前記インタフェースカード装置２の第１のインタフェース部２１と第２のインタフェース部２３は互いにカードの反対側に位置し、第１のインタフェース部２１は、ＰＣＭＣＩＡＣＰに準拠し画像データを記憶する不揮発性メモリと同一の構造とし、ＰＣＭＣＩＡＣＰに準拠したメモリカード装置を着脱可能なディジタルカメラに着脱可能な構造を有している。
【００３２】
図５は本発明の第１の実施形態例における制御装置を示すブロック図である。
【００３３】
図５において、本発明の第１の実施形態例における制御装置４は、ケーブル３を介してインタフェースカード装置２とインタフェースするインタフェース部（Ｉ／Ｆ部）４１と、ケーブル５を介して携帯電話機６とインタフェースするインタフェース部（Ｉ／Ｆ部）４３と、インタフェースカード装置２に一時記憶された画像データを読み出し、携帯電話機６への送出を制御する制御部４２とを有している。
【００３４】
次に、本発明の第１の実施形態例の動作について図１〜図５を参照して説明する。
【００３５】
先ず、インタフェースカード装置２を第１のコネクタ２５がディジタルカメラ１と接続される向きでディジタルカメラ１のメモリカード収納部１４に装着し、インタフェースカード装置２の第２のコネクタ２６にケーブル３を接続する。ケーブル３のもう一方のコネクタを制御装置４に接続すると共に、ケーブル５により制御装置４と携帯電話機６を接続する。
【００３６】
ディジタルカメラ１は、撮影した画像データを、カード制御部１３からの書き込み命令信号の送信後、メモリカード収納部１４にインタフェースカード装置２が装着されていることを確認した上でインタフェースカード装置２へ送る。
【００３７】
メモリカード収納部１４に装着されたインタフェースカード装置２の制御部２２は、Ｉ／Ｆ部２１を介して書き込み命令信号を受信すると、制御部２２の内部に設けられた状態識別領域に「書き込み状態」であることをセットした後、記憶部２４にカード制御部１３から送られてくる画像データを書き込む。
【００３８】
画像データの書き込みが終了すると、状態識別領域にセットされた「書き込み状態」であることを解除すると共に、データ識別領域に「新規データあり」であることをセットする。制御装置４は、あらかじめ定められた時間毎に、インタフェースカード装置２の制御部２２内に設けられたデータ識別領域の状態を確認しに行き、「新規データあり」の状態になっていた場合には、制御装置４にあらかじめ登録してある送信先のアドレス情報を含むデータ送信制御信号を携帯電話機６に送信し携帯電話機６を発信状態にすると共に、インタフェースカード装置２に対して読み取り命令信号を送信する。
【００３９】
インタフェースカード装置２は制御装置４からの読み出し命令信号を受信すると、制御部２２の内部に設けられた状態識別領域に「読み出し状態」であることをセットした後、記憶部２４から保存されている画像データを読み出し、制御装置４に送信する。
【００４０】
制御装置４はインタフェースカード装置２から送られてきた画像データを制御部４２−１で携帯電話機６に送信するデータ形式に変換し、携帯電話機６に送信する。
【００４１】
携帯電話機６は、制御装置４から受信したデータ送信制御信号に基づき、無線回線７を介して送信先と接続し、その後に送られてくる変換された画像データを送信する。
【００４２】
送信が終了すると、制御装置４はインタフェースカード装置２の状態識別領域をリセットし、「読み出し状態」を解除する。
【００４３】
携帯電話機６から無線回線７を介して送信された画像データは、指定されたアドレス情報を有する通信機器で受信され、その後ネットワーク９などを介してパーソナルコンピュータ（ＰＣ）１０に送信され画像が表示される。
【００４４】
次に、本発明の第２の実施形態例について説明する。
【００４５】
本発明の第２の実施形態例は、図１において、インタフェースカード装置２に替えて図６に示すインタフェースカード装置２−２を装着し、かつ、制御装置４に替えて図７に示す制御装置４−２を用いた構成となっている。図中、同一部分は同一符号を付してその説明を省略する。画像データを一時記憶する不揮発性の記憶媒体を有する記憶部４４の位置がインタフェースカード装置２−２から制御装置４−２に移っていることが第１の実施形態例と異なる。図７の制御部４２−２は、ディジタルカメラ１からインタフェースカード装置２−２を介して記憶部４４への画像データの書き込みと記憶部４４からの画像データの読み取りを制御する。
【００４６】
インタフェースカード装置２−２から制御装置４−２にデータを送信するためにケーブル３を経由するため、インタフェースカード装置２−２にはデータ転送タイミングを調整するためのバッファ２７を設けている。
【００４７】
図６のインタフェースカード装置２−２は、第１のインタフェース部２１を介して外部のディジタルカメラ１から送られた画像データと書き込み命令信号とを、バッファ２７および第２のインタフェース部２３を介して外部の制御装置４−２へ送出する手段を有する。
【００４８】
図７の制御装置４−２は、ディジタルカメラ１に収納したインタフェースカード装置２−２にケーブル３を介して接続して、第１のインタフェース部４１を介してディジタルカメラ１から送られた書き込み命令信号に基づき画像データを記憶部４４の不揮発性の記憶媒体に書き込み、また第２のインタフェース部４３を介して入力される読み出し命令信号に基づき記憶部４４の記憶媒体から画像データを読み出して外部の携帯電話機６へ送出する記憶、書き込み、読み出し手段を有する。
【００４９】
その他の構成については図１および図２と同じである。
【００５０】
次に、本発明の第３の実施形態例について説明する。
【００５１】
本発明の第３の実施形態例は、図１において、インタフェースカード装置２に替えて図８に示すインタフェースカード装置２−３を装着した構成となっている。図中、同一部分は同一符号を付してその説明を省略する。図８に示すインタフェースカード装置２−３は、画像データを一時記憶する記憶部２４−３のデータ入力部（ＤＡＴＡｉｎ）とデータ出力部（ＤＡＴＡｏｕｔ）が物理的に異なる構造となっている。
【００５２】
したがって、制御部２２−３から記憶部２４−３へ送信するデータ書き込み信号、データ読み出し信号を調節することにより、記憶部２４−３へのデータ書き込みと記憶部２４−３からのデータ読み出しを同時に行うことができる。
【００５３】
その他の構成については図１、図２および図３と同じであり、動作については、第１の実施形態例における動作とほぼ同じである。
【００５４】
次に、本発明の第４の実施形態例について説明する。
【００５５】
本発明の第４の実施形態例は、前記第２の実施形態例において、図７に示す制御装置４−２に替えて図９に示す制御装置４−３を接続した構成となる。図中、同一部分は同一符号を付してその説明を省略する。図９に示す制御装置４−３は、画像データを一時記憶する記憶部４４−３のデータ入力部（ＤＡＴＡｉｎ）とデータ出力部（ＤＡＴＡｏｕｔ）が物理的に異なる構造となっている。
【００５６】
したがって、制御部４２−３から記憶部４４−３に送出されるデータ書き込み信号、データ読み出し信号を調節することにより、記憶部４４−３へのデータ書き込みと記憶部４４−３からのデータ読み出しを同時に行うことができる。
【００５７】
その他の構成については図１、図２および図７と同じであり、動作については、第２の実施形態例における動作とほぼ同じである。
【００５８】
以上説明したように、ＰＣＭＣＩＡＣＰに準拠した多くのディジタルカメラが有しているインタフェース仕様を有するインタフェースカード装置をディジタルカメラに装着し、ディジタルカメラはインタフェースカード装置に画像データを一時記憶しながら撮影を行う。また、インタフェースカード装置はディジタルカメラに装着された状態で接続可能なケーブルを介して携帯電話機にデータを送信し、遠隔地に画像データを送信する。これにより、ユーザはディジタルカメラからカードの脱着を行わずに撮影した画像データを遠隔地に送信することが可能で、野外における調査活動等における作業性の改善が図れる。また、カード脱着の際に起こしやすい機器の落下等に起因する故障を未然に防止することが
可能である。
【００５９】
さらに、ディジタルカメラはＰＣＭＣＩＡＣＰに準拠したメモリカードの利用が可能であることから、ディジタルカメラ単体での活用が可能となるとともに、ＰＣＭＣＩＡＣＰに準拠したメモリカードを利用できるディジタルカメラを利用することが可能となり、ディジタルカメラの新規開発が不要であるため製造コストを抑えることが期待できる。
【００６０】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【００６１】
【発明の効果】
以上説明したように本発明によれば、ディジタルカメラからカードの脱着を行わずに撮影した画像データを遠隔地に送信することが可能で、野外における調査活動等における作業性の改善が図れ、また、カード脱着の際に起こしやすい機器の落下等に起因する故障を未然に防止することが可能である画像データ伝送システムとそのインタフェースカード装置、および制御装置を提供することができる。
【図面の簡単な説明】
【図１】本発明の第１の実施形態例を示すシステム構成図である。
【図２】本発明の第１の実施形態例におけるディジタルカメラを示すブロック図である。
【図３】本発明の第１の実施形態例におけるインタフェースカード装置を示すブロック図である。
【図４】本発明の第１の実施形態例におけるインタフェースカード装置の構造を示す斜視図である。
【図５】本発明の第１の実施形態例における制御装置を示すブロック図である。
【図６】本発明の第２の実施形態例におけるインタフェースカード装置を示すブロック図である。
【図７】本発明の第２の実施形態例における制御装置を示すブロック図である。
【図８】本発明の第３の実施形態例におけるインタフェースカード装置を示すブロック図である。
【図９】本発明の第４の実施形態例における制御装置を示すブロック図である。
【図１０】従来の画像データ伝送システムの一例を示すブロック図である。
【図１１】従来の画像データ伝送システムの一例を示す構成図である。
【符号の説明】
１  ディジタルカメラ
１１  カメラ部
１２  カメラ制御部
１３  カード制御部
１４  メモリカード収納部
１５  操作部
１６  共通制御部
２，２−２，２−３  インタフェースカード装置
２１  インタフェース部（Ｉ／Ｆ部）
２３  インタフェース部（Ｉ／Ｆ部）
２２，２２−３  制御部
２４，２４−３  記憶部
２５，２６  コネクタ１，２
３，５  ケーブル
４，４−２，４−３  制御装置
４１  インタフェース部（Ｉ／Ｆ部）
４３  インタフェース部（Ｉ／Ｆ部）
４２，４２−２，４２−３  制御部
４４，４４−３  記憶部
６  携帯電話機
７  無線回線
８  アンテナ
９  ネットワーク
１０  パーソナルコンピュータ（ＰＣ）
【図１】
2004312248.tif 000003
【図２】
2004312248.tif 000004
【図３】
2004312248.tif 000005
【図４】
2004312248.tif 000006
【図５】
2004312248.tif 000007
【図６】
2004312248.tif 000008
【図７】
2004312248.tif 000009
【図８】
2004312248.tif 000010
【図９】
2004312248.tif 000011
【図１０】
2004312248.tif 000012
【図１１】
2004312248.tif 000013